(57)【特許請求の範囲】
【請求項１】
被測定物の測定内容に応じて装置本体のスロット（Ｓ）に着脱可能に装着され、有線系の通信規格に基づく前記被測定物の測定を行うための複数の測定ハードウェア（５Ａ）と、設定内容に応じて前記複数の測定ハードウェアを任意に組み合わせて制御するための複数の測定アプリケーション（１１）とを備えたネットワーク試験装置（１）であって、
前記ネットワーク試験装置の資源を管理する資源管理部（７ａ）と、日付が変わったとき、装置の稼働時間が指定時間を経過したとき、前記測定ハードウェアの稼働時間が指定時間を経過したとき、前記測定ハードウェアが交換されたとき、前回自己診断を実施したときから指定時間が経過したとき、前記測定ハードウェアの異常が検出されたとき、自己診断の異常が検出されたときの何れかの条件、又は前記条件を選択的に組み合わせた条件を自己診断実行条件とし、前記資源管理部が管理する資源の使用状況、時間情報、日付情報に基づいて装置起動時に前記自己診断実行条件を満たすか否かを判別する判別部（７ｃ）とを含み、該判別部が前記自己診断実行条件を装置起動時に満たすと判断したときのみ自己診断を実行する処理制御部（７）を備えたことを特徴とするネットワーク試験装置。
【請求項２】
前記資源管理部（７ａ）は、測定の開始が指示されたときに、少なくとも前記スロット（Ｓ）毎の測定ハードウェア（５Ａ）の装着状態、前記スロット毎の測定ポート（５ａ）の空き状態、前記測定ポート毎の使用者情報、前記スロット毎の測定ハードウェアの種類を前記ネットワーク試験装置（１）の資源として管理することを特徴とする請求項１記載のネットワーク試験装置。
【請求項３】
前記指定時間は、ユーザ毎の前記ネットワーク試験装置（１）の使用形態の違いや各測定ハードウェア（５Ａ）毎の使用頻度に応じて予め設定されることを特徴とする請求項１又は２記載のネットワーク試験装置。
【請求項４】
有線系の通信規格に基づく被測定物の測定を行うための複数の測定ハードウェア（５Ａ）を前記被測定物の測定内容に応じて装置本体のスロット（Ｓ）に着脱可能に装着し、複数の測定アプリケーション（１１）により前記複数の測定ハードウェアを設定内容に応じて任意に組み合わせて制御するネットワーク試験方法であって、
ネットワーク試験装置（１）の資源を管理するステップと、
日付が変わったとき、装置の稼働時間が指定時間を経過したとき、前記測定ハードウェアの稼働時間が指定時間を経過したとき、前記測定ハードウェアが交換されたとき、前回自己診断を実施したときから指定時間が経過したとき、前記測定ハードウェアの異常が検出されたとき、自己診断の異常が検出されたときの何れかの条件、又は前記条件を選択的に組み合わせた条件を自己診断実行条件とし、前記管理する資源の使用状況、時間情報、日付情報に基づいて装置起動時に前記自己診断実行条件を満たすか否かを判別するステップと、
前記自己診断実行条件を装置起動時に満たすと自己診断を実行するステップとを含むことを特徴とするネットワーク試験方法。
【請求項５】
測定の開始が指示されたときに、少なくとも前記スロット（Ｓ）毎の測定ハードウェア（５Ａ）の装着状態、前記スロット毎の測定ポート（５ａ）の空き状態、前記測定ポート毎の使用者情報、前記スロット毎の測定ハードウェアの種類を前記ネットワーク試験装置（１）の資源として管理するステップを含むことを特徴とする請求項４記載のネットワーク試験方法。
【請求項６】
ユーザ毎の前記ネットワーク試験装置（１）の使用形態の違いや各測定ハードウェア毎の使用頻度に応じて前記指定時間を設定するステップを含むことを特徴とする請求項４又は５記載のネットワーク試験方法。
【発明の詳細な説明】
【技術分野】
【０００１】
本発明は、有線系の各種通信規格に基づく被測定物（ＤＵＴ：Device Under Test ）の複数種類の測定を１台の装置で行うことができるネットワーク試験装置及びネットワーク試験方法に関する。
【背景技術】
【０００２】
特定の信号方式として、例えば、ＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格に基づく被測定物の各種測定を行う機能を有するネットワーク試験装置では、複数の測定ハードウェアと複数の測定アプリケーションを１台の装置に備えている。この種のネットワーク試験装置では、個々の測定アプリケーションが一定の手順に沿って所定の測定ハードウェアを制御することにより被測定物の測定を行い、その測定結果をユーザに提供している。
【０００３】
そして、この種の複数の測定ハードウェアと複数の測定アプリケーションを１台の装置に備えたネットワーク試験装置としては、例えば下記特許文献１に開示される測定装置が知られている。特許文献１に開示される測定装置は、各種測定内容の複数の測定アプリケーションが記憶された共通ユニットと、バッテリユニットとの間に、測定ハードウェアとしての測定ユニットを挟み込むようにそれぞれコネクタ接続され、測定内容に応じて測定ユニットの増設、取り外し、組み換えが自由に行える構成となっている。
【０００４】
これにより、１つの測定アプリケーションが１つの測定ハードウェアを制御するだけでなく、１つの測定アプリケーションが複数の測定ハードウェアを連動して制御したり、１台の測定装置上で複数の測定アプリケーションを同時に並行起動して実行することが可能であり、様々な形態で被測定物の測定を行うことができる。
【０００５】
なお、下記特許文献２には、同様のネットワーク試験装置として、複数のポートを備えた送受信モジュールが筐体内に複数収容され、これら送受信モジュールと被測定物との間のデータの送受信により被測定物の様々な測定を行う測定装置が開示されている。
【先行技術文献】
【特許文献】
【０００６】
【特許文献１】特開２０１０−２５８６３号公報
【特許文献２】特開２００３−４６５０８号公報
【発明の概要】
【発明が解決しようとする課題】
【０００７】
ところで、上述した特許文献１や特許文献２を含む従来のネットワーク試験装置は、装置自身が正常に動作可能であるか否かを判定する自己診断機能を備えている。そして、この種のネットワーク試験装置では、ユーザが所望する試験内容に応じて測定ユニットの増設、取り外し、組み換えが自由に行える構成となっており、使用環境が不定期に変わる恐れがあるため、装置を起動した際に毎回自己診断を行っていた。
【０００８】
このように、従来のネットワーク試験装置では、毎回起動時に自己診断を行うため、自己診断が終了するまでの待ち時間がユーザにとってストレスの要因になることがあった。しかも、自己診断が不要な場合であっても必ず実行されてしまうので、その分が余計な時間を消費し、装置を起動から即座に被測定物の測定を開始することができなかった。
【０００９】
このため、被測定物の測定を行う場合には、必要なときだけ自己診断を行い、起動時間を短縮して速やかに使用可能な状態に移行することができるネットワーク試験装置の提供が望まれていた。
【００１０】
そこで、本発明は上記問題点に鑑みてなされたものであって、起動時間の短縮を図ることができるネットワーク試験装置及びネットワーク試験方法を提供することを目的としている。
【課題を解決するための手段】
【００１１】
上記目的を達成するため、本発明の請求項１に記載されたネットワーク試験装置は、被測定物の測定内容に応じて装置本体のスロットＳに着脱可能に装着され、有線系の通信規格に基づく前記被測定物の測定を行うための複数の測定ハードウェア５Ａと、設定内容に応じて前記複数の測定ハードウェアを任意に組み合わせて制御するための複数の測定アプリケーション１１とを備えたネットワーク試験装置１であって、
前記ネットワーク試験装置の資源を管理する資源管理部７ａと、日付が変わったとき、装置の稼働時間が指定時間を経過したとき、前記測定ハードウェアの稼働時間が指定時間を経過したとき、前記測定ハードウェアが交換されたとき、前回自己診断を実施したときから指定時間が経過したとき、前記測定ハードウェアの異常が検出されたとき、自己診断の異常が検出されたときの何れかの条件、又は前記条件を選択的に組み合わせた条件を自己診断実行条件とし、前記資源管理部が管理する資源の使用状況、時間情報、日付情報に基づいて装置起動時に前記自己診断実行条件を満たすか否かを判別する判別部７ｃとを含み、該判別部が前記自己診断実行条件を装置起動時に満たすと判断したときのみ自己診断を実行する処理制御部７を備えたことを特徴とする。
【００１２】
請求項２に記載されたネットワーク試験装置は、請求項１のネットワーク試験装置において、
前記資源管理部（７ａ）は、測定の開始が指示されたときに、少なくとも前記スロット（Ｓ）毎の測定ハードウェア（５Ａ）の装着状態、前記スロット毎の測定ポート（５ａ）の空き状態、前記測定ポート毎の使用者情報、前記スロット毎の測定ハードウェアの種類を前記ネットワーク試験装置（１）の資源として管理することを特徴とする。
請求項３に記載されたネットワーク試験装置は、請求項１又は２のネットワーク試験装置において、
前記指定時間は、ユーザ毎の前記ネットワーク試験装置（１）の使用形態の違いや各測定ハードウェア（５Ａ）毎の使用頻度に応じて予め設定されることを特徴とする。
【００１３】
請求項４に記載されたネットワーク試験方法は、有線系の通信規格に基づく被測定物の測定を行うための複数の測定ハードウェア５Ａを前記被測定物の測定内容に応じて装置本体のスロットＳに着脱可能に装着し、複数の測定アプリケーション１１により前記複数の測定ハードウェアを設定内容に応じて任意に組み合わせて制御するネットワーク試験方法であって、
ネットワーク試験装置１の資源を管理するステップと、
日付が変わったとき、装置の稼働時間が指定時間を経過したとき、前記測定ハードウェアの稼働時間が指定時間を経過したとき、前記測定ハードウェアが交換されたとき、前回自己診断を実施したときから指定時間が経過したとき、前記測定ハードウェアの異常が検出されたとき、自己診断の異常が検出されたときの何れかの条件、又は前記条件を選択的に組み合わせた条件を自己診断実行条件とし、前記管理する資源の使用状況、時間情報、日付情報に基づいて装置起動時に前記自己診断実行条件を満たすか否かを判別するステップと、
前記自己診断実行条件を装置起動時に満たすと自己診断を実行するステップとを含むことを特徴とする。
【００１４】
請求項５に記載されたネットワーク試験方法は、請求項４のネットワーク試験方法において、
測定の開始が指示されたときに、少なくとも前記スロット（Ｓ）毎の測定ハードウェア（５Ａ）の装着状態、前記スロット毎の測定ポート（５ａ）の空き状態、前記測定ポート毎の使用者情報、前記スロット毎の測定ハードウェアの種類を前記ネットワーク試験装置（１）の資源として管理するステップを含むことを特徴とする。
請求項６に記載されたネットワーク試験方法は、請求項４又は５のネットワーク試験方法において、
ユーザ毎の前記ネットワーク試験装置（１）の使用形態の違いや各測定ハードウェア毎の使用頻度に応じて前記指定時間を設定するステップを含むことを特徴とする。
【発明の効果】
【００１５】
本発明によれば、自己診断条件を満たしたときのみ自己診断が行われるので、自己診断の目的を損なうことなく、起動時間の短縮を図って速やかに装置を使用可能にすることができる。
【図面の簡単な説明】
【００１６】
【図１】本発明に係るネットワーク試験装置の全体構成を示すブロック図である。
【図２】本発明に係るネットワーク試験装置を用いて自己診断を行う際の動作フローチャートである。
【発明を実施するための形態】
【００１７】
以下、本発明を実施するための形態について、添付した図面を参照しながら詳細に説明する。
【００１８】
本発明に係るネットワーク試験装置及びネットワーク試験方法は、特定の信号方式（例えば、ＳＤＨ（Synchronous Digital Hierarchy ），ＰＤＨ（plesiochronous digital hierarchy），ＯＴＮ（Optical Transport Network ），Ｅｔｈｅｒｎｅｔ（登録商標）などの有線系の各種通信規格）に基づく被測定物（例えば、ルータ、ハブ、伝送装置などの複数のポートを有するデータ伝送システム）の複数種類の測定を１台の装置で可能とし、装置起動時に予め決めた自己診断実行条件を満たすときのみ、装置自身が正常に動作可能であるか否かを判定する自己診断の機能を有するものである。
【００１９】
（ネットワーク試験装置の全体構成について）
ネットワーク試験装置１は、装置本体をなす筐体に対し、図１に示すように、操作部２、入出力部３、記憶部４、測定ハードウェア部５、表示部６、処理制御部７を備えている。
【００２０】
ネットワーク試験装置１は、装置本体をなす筐体に複数のスロットＳ（図１の例では、３つのスロットＳ１，Ｓ２，Ｓ３）が設けられている。各スロットＳ１，Ｓ２，Ｓ３には、測定ハードウェア部５の複数の測定ハードウェア５Ａ（測定ハードウェアＡ、測定ハードウェアＢ、測定ハードウェアＣ）が被測定物の測定内容に応じて任意に着脱交換可能に装着される。
【００２１】
操作部２は、装置本体をなす筐体に設けられ、例えば各種キー、スイッチ、ボタンなどで構成される。操作部２は、被測定物の測定開始や停止の指示を行うとき、後述する設定ファイル１２の各種設定を表示部６の表示画面上で行うとき、後述する自己診断実行条件１４の詳細内容を決めるときなどに適宜操作される。
【００２２】
入出力部３は、例えば外部端末（ＰＣなど）や外部記憶媒体（ＵＳＢメモリ、外付けハードディスクなど）と接続される外部インターフェースで構成される。入出力部３は、処理制御部７により外部端末や外部記憶媒体との間の情報のやり取りが制御され、後述する設定ファイル１２や測定結果ファイル１３の入力や出力を行っている。
【００２３】
記憶部４は、被測定物の各種測定に必要不可欠な測定アプリケーション１１（図１の例では、２つの測定アプリケーション１１ａ，１１ｂ）、設定ファイル１２、測定結果ファイル１３、自己診断実行条件１４を記憶している。
【００２４】
測定アプリケーション１１は、処理制御部７が複数の測定ハードウェア５Ａを任意に組み合わせて制御する際の被測定物の所定種類の測定（例えば、誤り検出測定、遅延測定、パケット損失測定、スループット測定など）を行うための一連の処理プログラムからなるソフトウェアで構成される。測定アプリケーション１１は、誤り検出測定、遅延測定、パケット損失測定、スループット測定などの被測定物の測定内容の種類と、ＳＤＨ，ＰＤＨ，ＯＴＮ，Ｅｔｈｅｒｎｅｔ（登録商標）などの信号方式に応じて選択される。
【００２５】
尚、図１の例では、測定アプリケーション１１（１１ａ，１１ｂ）として、測定アプリケーションαと測定アプリケーションβを図示しているが、その数が限定されるものではない。
【００２６】
設定ファイル１２は、被測定物に対してどんな測定を行いたいかを示すファイルであり、ネットワーク試験装置１によって被測定物の測定を行う際に、被測定物の測定内容に応じて操作部２の操作により適宜設定される情報からなり、記憶部４に一時的に保存記憶される。尚、設定ファイル１２は、測定の終了・開始とは無関係に、ユーザの操作により任意のタイミングで生成される。但し、ユーザが必要な設定操作を済ませたことを前提とする。
【００２７】
さらに説明すると、設定ファイル１２は、基本設定情報、使用通信方式・レート情報、ポート数情報、使用ポート情報から構成される。
【００２８】
基本設定情報は、測定ハードウェア５Ａによる被測定物の測定に必要な測定アプリケーション１１（１１ａ，１１ｂ）毎の基本的な設定情報からなる。基本設定情報の具体例としては、信号生成基準クロックの選択（内部水晶、又は外部信号取り込み）、ＳＤＨ／ＯＴＮにおける信号多重化階梯の選択、試験用Ｅｔｈｅｒｎｅｔ（登録商標）フレームのプロトコルスタック構成（例えば、Ｅｔｈｅｒｎｅｔ（登録商標）の中にＩＰｖ４を載せるかＩＰｖ６を載せるか、ＶＬＡＮタグを付与するか否か、ＭＰＬＳラベルを付与するか否かなど）、試験用Ｅｔｈｅｒｎｅｔ（登録商標）フレームに含まれる各種プロトコルヘッダの内容（例えば、ＩＰアドレスを何にするか、ＶＬＡＮダグやＭＰＬＳラベルのＩＤの値など）、試験用ＯＴＮ／ＳＤＨフレームに含まれる各種オーバーヘッドバイトの内容（例えば、通信事業者コードの付与など）、試験用送信Ｅｔｈｅｒｎｅｔ（登録商標）フレームの転送レートの設定（例えば、フルワイヤレートに対して何％で送信するか、どのような周期で送信を繰り返すかなど）、試験用疑似ランダムビットシーケンス信号の選択（例えば、ＰＲＢＳ７／ＰＲＢＳ９など）、試験合否判定の閾値、測定結果取得のサンプリング周期などがある。
【００２９】
使用通信方式・レート情報は、使用される通信方式（例えば、ＳＤＨ，ＰＤＨ，ＯＴＮ，Ｅｔｈｅｒｎｅｔ（登録商標）などの有線系の通信規格）と、使用される通信方式のレートに関する情報である。
【００３０】
ポート数情報は、使用される測定アプリケーション１１で必要とするポート数に関する情報である。
【００３１】
使用ポート情報は、使用される測定アプリケーション１１により制御される測定ハードウェア５Ａの各測定ポート５ａと紐付けされる論理ポート番号と、使用されるコネクタおよび光トランシーバの種類に関する情報である。
【００３２】
尚、論理ポート番号は、同じグループに属する測定ポート５ａに対して同一の番号が付与される。また、上述した設定ファイル１２は、同じ設定条件で被測定物の繰り返し測定を行う場合、例えば図示しない外部端末や外部記憶媒体から入出力部３を介して読み出され、記憶部４に一時的に保存記憶される。
【００３３】
測定結果ファイル１３は、設定内容に基づく測定アプリケーション１１により測定ハードウェア５Ａを制御して実行される被測定物の測定結果に関するファイルであり、設定ファイル１２の設定内容に基づく所定サンプリング周期の被測定物の測定結果を示す履歴情報（被測定物の測定結果によるグラフや表の情報を含む）である。
【００３４】
測定結果ファイル１３は、測定終了時に作成され、被測定物の測定結果に関する情報を測定時の設定ファイル１２と紐付けて記憶部４に一時的に保存記憶される。
【００３５】
自己診断実行条件１４は、自己診断を実施するために必要不可欠な情報である。自己診断実行条件１４は、（１）日付が変わったとき、（２）装置の稼働時間（通電時間）が指定時間を経過したとき、（３）測定ハードウェア５Ａの稼働時間（通電時間）が指定時間を経過したとき、（４）測定ハードウェア５Ａが交換されたとき、（５）前回自己診断を実施したときから指定時間が経過したとき、（６）測定ハードウェア５Ａの異常が検出されたとき、（７）自己診断の異常が検出されたときの何れかの条件、又は（１）〜（７）の条件を選択的に組み合わせた条件からなる。尚、それぞれの指定時間は、ユーザ毎のネットワーク試験装置１の使用形態の違いや各測定ハードウェア５Ａ毎の使用頻度などに応じて予め設定されるものである。
【００３６】
測定ハードウェア部５は、複数の測定ハードウェア５Ａ（図１の例では、３つの測定ハードウェア５Ａ１，５Ａ２，５Ａ３）を備えている。
【００３７】
個々の測定ハードウェア５Ａは、測定対象となる被測定物と有線接続される測定ポート５ａを備えており、装置本体をなす筐体のスロット１ａに対し、測定内容に応じて個々に組み合わせて任意に着脱交換可能に装着される。
【００３８】
また、個々の測定ハードウェア５Ａ（５Ａ１，５Ａ２，５Ａ３）は、測定ポート５ａと接続されるＦＰＧＡ（field-programmable gate array ）５ｂを備えている。ＦＰＧＡ５ｂは、ユーザが製造後に構成を設定できる集積回路であり、処理制御部７の制御により、設定ファイル１２の設定に基づく所定の測定を測定アプリケーション１１で実行するべく被測定物との間でデータの送受信を行っている。
【００３９】
表示部６は、液晶などの表示装置で構成される。表示部６は、処理制御部７の制御により、操作部２の操作により設定ファイル１２の設定内容を適宜設定する際の設定画面の表示、設定ファイル１２の設定内容に基づく測定結果の表示などを行っている。
【００４０】
処理制御部７は、例えばＣＰＵ（Central Processing Unit ）やＲＯＭ（Read Only Memory），ＲＡＭ（Random Access Memory）等のプロセッサで構成され、操作部２、入出力部３、記憶部４、測定ハードウェア部５、表示部６を統括制御している。
【００４１】
処理制御部７は、ユーザが所望する被測定物の測定を行うように、操作部２からの操作信号の設定や設定ファイル１２に基づいて測定ハードウェア部５の測定ハードウェア５Ａを制御している。また、処理制御部７は、ネットワーク試験装置１に電源を投入して装置を起動したときに、記憶部４に記憶された自己診断実行条件１４を満たしていると判断したときのみ自己診断を実行している。さらに、処理制御部７は、資源管理部７ａ、時計部７ｂ、判別部７ｃを備えている。
【００４２】
資源管理部７ａは、被測定物に対してどんな測定が行えるかを示す情報として、ネットワーク試験装置１の資源（測定ハードウェア５Ａ、測定ポート５ａ、使用者などの情報）の使用状況を管理している。
【００４３】
資源管理部７ａは、操作部２の操作により測定開始が指示されると、スロットＳ（Ｓ１，Ｓ２，Ｓ３）毎の測定ハードウェア５Ａの装着状態、スロットＳ（Ｓ１，Ｓ２，Ｓ３）毎の測定ポート５ａの空き状態、測定ポート５ａ毎の使用者情報（ＩＰアドレス）、設定ファイル１２の測定アプリケーション１１に対する各測定ポート５ａの能力（アビリティ）情報、スロットＳ（Ｓ１，Ｓ２，Ｓ３）毎の測定ハードウェア５Ａの種類をネットワーク試験装置１における測定開始直前の資源の使用状況として取得して管理している。
【００４４】
時計部７ｂは、ネットワーク試験装置１の稼働時間（通電時間）や各測定ハードウェア５Ａの稼働時間（通電時間）を認識する目的で時間を計るための内部時計であり、計測した時間情報を判別部７ｃに出力している。
【００４５】
判別部７ｃは、ネットワーク試験装置１に電源を投入して装置を起動したときに、記憶部４に記憶された自己診断実行条件１４を満たしているか否かを判別している。この自己診断実行条件１４を満たしているか否かの判別は、資源管理部７ａが管理する資源の使用状況（スロットＳ毎の測定ハードウェア５Ａの装着状態）、時計部７ｂが計測する時間情報（ネットワーク試験装置１や各測定ハードウェア５Ａの稼働時間）、内部カレンダの日付情報に基づいて行われる。
【００４６】
そして、処理制御部７は、判別部７ｃの判別により、自己診断実行条件１４を満たしていると判断したときのみ、自己診断を実行している。自己診断の具体的な内容としては、装置本体側の状態や動作のチェック（リアルタイムクロック、制御ＥＥＰＲＯＭ、タッチスクリーン制御、オーディオコーデック、バッテリ充電制御、バッテリ状態（充電量、電圧）、ファームウェアバージョンなどのチェック）や測定ハードウェア５Ａ毎の状態や動作のチェック（ＥＥＰＲＯＭ、ＦＰＧＡ、電圧、ＦＰＧＡインタフェース、測定データキャプチャのバッファ用ＲＯＭ、クロック発生器、イーサネット（登録商標）物理層動作などのチェック）、測定ハードウェア５Ａ間のインタフェースの動作チェック、ポート拡張、装置内部温度のチェックなどがある。
【００４７】
尚、図１において、操作部２と処理制御部７との間、ならびに表示部６と処理制御部７との間はＬＡＮで接続される。このＬＡＮ接続は、ＨＵＢ機構によりネットワーク試験装置１の外からも接続可能な構成となっている。また、ＰＣを使ってＬＡＮ経由で接続することにより、ネットワーク試験装置１を遠隔操作することができる。そして、使用者情報としてのＩＰアドレスとは、この外部ＰＣのＩＰアドレスを意味する。
【００４８】
ところで、図１の例では、操作部２と表示部６を機能的に別々の構成として図示して説明したが、タッチパッドなどの位置入力装置（操作部２に相当）と液晶パネルなどの表示装置（表示部６に相当）を一体化した電子部品からなるタッチパネルで構成すれば、操作部２と表示部６を一つにまとめた構成とすることができる。
【００４９】
また、図１の例では、２つの測定アプリケーション１１ａ，１１ｂと３つの測定ハードウェア５Ａ１，５Ａ２，５Ａ３を備えた構成について図示したが、その数が限定されるものではない。
【００５０】
次に、上記のように構成されるネットワーク試験装置１における自己診断の動作について図２を参照しながら説明する。
【００５１】
（自己診断の動作について）
まず、被測定物の所望の各種試験を行うため、電源を投入してネットワーク試験装置１を起動する（ＳＴ１）。処理制御部７は、電源の投入によりネットワーク試験装置１が起動すると、自己診断実行条件１４を満たしているか否かを判別する（ＳＴ２）。処理制御部７は、自己診断実行条件１４を満たしていると判断すると、自己診断を実行する（ＳＴ３）。
【００５２】
尚、自己診断実行条件１４とは、自己診断を実施するために必要不可欠な情報であり、前述したように、（１）日付が変わったとき、（２）装置の稼働時間（通電時間）が指定時間を経過したとき、（３）測定ハードウェアの稼働時間（通電時間）が指定時間を経過したとき、（４）測定ハードウェアが交換されたとき、（５）前回自己診断を実施したときから指定時間が経過したとき、（６）測定ハードウェアの異常が検出されたとき、（７）自己診断の異常が検出されたときの何れかの条件、又は（１）〜（７）の条件を選択的に組み合わせた条件からなり、記憶部４に記憶されている。
【００５３】
そして、ネットワーク試験装置１は、自己診断が終了すると、ネットワーク試験装置１の起動を終了し（ＳＴ４）、設定ファイル１２の設定に基づく測定アプリケーション１１の起動によりＦＰＧＡ５ｂが測定ハードウェア５Ａを制御して被測定物の測定を行う測定処理動作に移行する。
【００５４】
ＳＴ２において、処理制御部７が自己診断実行条件１４を満たしていないと判断すると、ＳＴ３の自己診断を実行せず、ネットワーク試験装置１の起動を終了し（ＳＴ４）、設定ファイル１２の設定に基づく測定アプリケーション１１の起動によりＦＰＧＡ５ｂが測定ハードウェア５Ａを制御して被測定物の測定を行う測定処理動作に即座に移行する。
【００５５】
このように、従来の装置では、毎回起動する度に自己診断機能を実行した場合、装置が使用可能になるまでの時間が自己診断にかかる時間だけ長くなっていたのに対し、本発明によれば、自己診断実行条件１４を満たしたときのみ自己診断が実行されるので、自己診断機能の目的を損なわずに、起動時間を短縮して速やかに装置を使用可能にすることができる。
【００５６】
また、自己診断実行条件１４として、測定ハードウェア５Ａの稼働時間（通電時間）が指定時間を経過したときや、測定ハードウェア５Ａが交換されたときを条件とすれば、ユーザ毎のネットワーク試験装置１の使用形態の違いや各測定ハードウェア５Ａ毎の使用頻度などに応じて自己診断を実行することができる。
【００５７】
以上、本発明に係るネットワーク試験装置及びネットワーク試験方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００５８】
１  ネットワーク試験装置
２  操作部
３  入出力部
４  記憶部
５  測定ハードウェア部
５Ａ  測定ハードウェア
５ａ  測定ポート
６  表示部
７  処理制御部
７ａ  資源管理部
７ｂ  時計部
７ｃ  判別部
１１  測定アプリケーション
１２  設定ファイル
１３  測定結果ファイル
１４  自己診断実行条件
【図１】
0005933642.tif 000002
【図２】
0005933642.tif 000003